(57)【特許請求の範囲】
【請求項１】
導電膜を支持する導電膜支持基体と、
前記導電膜の縁部の近傍を通りかつ前記導電膜に対して交差する交差方向に前記導電膜を横切って指を動かせる状態に前記導電膜支持基体を支持する支持部材と、
前記交差方向に前記縁部を横切って前記指が動くことによって生じる静電容量の変化を検出して入力信号を生成する検出部と、
を備える、入力装置。
【請求項２】
前記導電膜支持基体又は前記支持部材に設けられ、前記交差方向に力が掛かる状態で前記指を引っ掛け得る引っ掛り部をさらに備える、
請求項１に記載の入力装置。
【請求項３】
前記導電膜支持基体は、前記導電膜が一方主面に形成されている少なくとも１つの弾性フィルムを含み、
前記引っ掛り部は、前記少なくとも１つの弾性フィルムの一部領域であり、
前記支持部材は、前記縁部の近傍を通り前記交差方向に前記縁部を横切って前記指を動かせる状態になるようにかつ、前記少なくとも１つの弾性フィルムの前記一部領域が前記引っ掛り部になるように支持するため、前記一部領域を露出させて前記少なくとも１つの弾性フィルムの前記一部領域以外の領域を固定する、
請求項２に記載の入力装置。
【請求項４】
前記少なくとも１つの弾性フィルムは、前記交差方向において互いに離れかつ、前記交差方向の一方側から見て互いに重なるように配置されている複数の弾性フィルムであり、
前記検出部は、前記複数の弾性フィルムの各引っ掛り部で起こる前記指の引っ掛かりと解放によって生じる複数回の静電容量の変化を検出して入力信号を複数生成する、
請求項３に記載の入力装置。
【請求項５】
前記複数の弾性フィルムは、前記交差方向の前記一方側から見て全ての前記一部領域が見えるように、前記一部領域を順にずらして配置されている、
請求項４に記載の入力装置。
【請求項６】
表示画面と、
前記表示画面の周囲に設けられ、導電膜を支持する導電膜支持基体と、前記導電膜の縁部の近傍を通りかつ前記導電膜に対して交差する交差方向に前記導電膜の前記縁部を横切って指を動かせるように前記導電膜支持基体を支持する支持部材と、前記交差方向に前記縁部を横切って前記指が動くことによって生じる静電容量の変化を検出して入力信号を生成する検出部とを有する入力装置と、
前記表示画面の表示を行わせる表示信号を出力するように構成され、前記表示信号を変化させるために、前記入力装置の前記検出部の入力信号を用いる表示制御部と、
を備える、表示システム。
【請求項７】
前記導電膜支持基体は、複数であって、前記表示画面の対向する辺に沿って設けられている、
請求項６に記載の表示システム。
【請求項８】
前記入力装置は、少なくとも前記入力信号を音声信号に変換して前記表示制御部に対して出力する、
請求項６又は請求項７に記載の表示システム。
【発明の詳細な説明】
【技術分野】
【０００１】
本発明は、静電容量式の入力装置及び、当該入力装置を備える表示システムに関する。
【背景技術】
【０００２】
近年、ハンドヘルド用途のパーソナルコンピュータとして、平板状の筐体に演算装置とともに表示画面（タッチスクリーン）を搭載したタブレット型コンピュータが普及している。そして、このようなタブレット型コンピュータの一つの使い方として、タッチスクリーンに書籍の各頁を表示する電子書籍の表示端末がある。
【０００３】
このように電子書籍の表示端末として用いられているタブレット型コンピュータにおいては、タッチスクリーンを指で操作することにより、表示されている書籍の頁をめくることが行なわれるのが一般的である。
【０００４】
電子書籍などにおいて、このような頁めくりの操作性を向上させるために、例えば特許文献１（特開２００２−１６９６５３号公報）に記載されているように、タッチスクリーンに突起を設けてクリック感を感じさせることなどが行なわれている。また、頁めくり速度を上げるために、タッチスクリーンに対して、指先を立てたときと寝かせたときの静電容量の違いを判別して、スクロールの仕方を切換えることが行なわれている。
【発明の概要】
【発明が解決しようとする課題】
【０００５】
しかし、特許文献１に記載されているように、タッチスクリーンのタッチパッドに対して平行に動く指によって、あるいはタッチパッドに対して指を立てたり寝かしたりする動きによって、頁めくりの操作を行うと、大きく指を動かさなければならなかったり、頁めくりの応答速度が遅くなってしまう。そのため、電子書籍の頁めくりの操作は、紙製の書籍の頁を実際にめくる操作に比べて違和感が大きくなる。
【０００６】
本発明の目的は、タブレット型コンピュータ等の入力装置における入力操作を指の自然な動作に近づけることにより、入力装置における入力操作を行ない易くすることである。
【課題を解決するための手段】
【０００７】
以下に、課題を解決するための手段として複数の態様を説明する。これら態様は、必要に応じて任意に組み合わせることができる。
【０００８】
本発明の一見地に係る入力装置は、導電膜を支持する導電膜支持基体と、導電膜の縁部の近傍を通りかつ導電膜に対して交差する交差方向に導電膜を横切って指を動かせる状態に導電膜支持基体を支持する支持部材と、交差方向に縁部を横切って指が動くことによって生じる静電容量の変化を検出して入力信号を生成する検出部とを備えるものである。
【０００９】
この入力装置では、導電膜に対する交差方向に指が動くので、従来のように導電膜に対して指が平行に動く場合や導電膜に近づいたり遠ざかったりする場合に比べて、検出部で検出される静電容量の変化が急峻になるように操作し易く、指の小さな動作で確実に入力信号を生成することができる。
【００１０】
入力装置は、導電膜支持基体又は支持部材に設けられ、交差方向に力が掛かる状態で指を引っ掛け得る引っ掛り部をさらに備えてもよい。
【００１１】
この入力装置では、引っ掛かり部に指が引っ掛かって指が静止した状態で交差方向に力が掛かるため、引っ掛かり部から指を解放することで解放の瞬間から指と導電膜支持基体との間の相対速度を大きくすることができる。それにより、静電容量の変化を急峻にすることができる。
【００１２】
導電膜支持基体は、導電膜が一方主面に形成されている少なくとも１つの弾性フィルムを含み、引っ掛り部は、少なくとも１つの弾性フィルムの一部領域であり、支持部材は、縁部の近傍を通り交差方向に縁部を横切って指を動かせる状態になるようにかつ、少なくとも１つの弾性フィルムの一部領域が引っ掛り部になるように支持するため、一部領域を露出させて少なくとも１つの弾性フィルムの一部領域以外の領域を固定するものであってもよい。
【００１３】
この入力装置では、少なくとも一つの弾性フィルムの一部領域を指で引っ掛けた後に解放するような指で弾く動作を行うと、指で押されて撓んだ（弾性変形した）弾性フィルムが指の移動方向とは反対の方向にその弾性によって戻るため、弾性フィルムに対する指の相対速度が増す。この相対速度の増加によって、静電容量の変化を急峻にすることができる。
【００１４】
少なくとも１つの弾性フィルムは、交差方向において互いに離れかつ、交差方向の一方側から見て互いに重なるように配置されている複数の弾性フィルムであり、検出部は、複数の弾性フィルムの各引っ掛り部で起こる指の引っ掛かりと解放によって生じる複数回の静電容量の変化を検出して入力信号を複数生成するものであってもよい。
【００１５】
この入力装置では、一方向への指の動きで複数の弾性フィルムによる複数回の静電容量の変化を生じさせることができ、それによる入力信号の複数の生成が可能になる。そのため、１回の指の動きで複数の入力信号が生成されることから、入力時間を短縮することができる。
【００１６】
複数の弾性フィルムは、交差方向の一方側から見て全ての一部領域が見えるように、一部領域を順にずらして配置されてもよい。
【００１７】
この入力装置では、１回の指の動きで複数の弾性フィルムを弾くときに、指の動きに連れて一方側から順々に弾性フィルムに指がスムーズに掛かるので、複数の弾性フィルムが同時に弾かれることを防止でき、入力時間の短縮が確実になる。
【００１８】
本発明の他の見地に係る表示システムは、表示画面と、表示画面の周囲に設けられ、導電膜を支持する導電膜支持基体と、導電膜の縁部の近傍を通りかつ導電膜に対して交差する交差方向に導電膜の縁部を横切って指を動かせるように導電膜支持基体を支持する支持部材と、交差方向に縁部を横切って指が動くことによって生じる静電容量の変化を検出して入力信号を生成する検出部とを有する入力装置と、表示画面の表示を行わせる表示信号を出力するように構成され、表示信号を変化させるために、入力装置の検出部の入力信号を用いる表示制御部と、を備えるものである。
【００１９】
この表示システムでは、入力装置において、導電膜に対する交差方向に指が動くので、従来のように導電膜に対して指が平行に動く場合や導電膜に近づいたり遠ざかったりする場合に比べて、検出部で検出される静電容量の変化が急峻になるように操作し易く、指の小さな動作で確実に入力信号を生成することができる。表示制御部は、入力装置における入力に応じて確実に表示信号を表示画面に出力することができる。
【００２０】
導電膜支持基体は、複数であって、表示画面の対向する辺に沿って設けられてもよい。
【００２１】
この表示システムでは、対向する辺に左右の手の指がくるように表示システムを持つことで両手による操作が可能になる。
【００２２】
入力装置は、少なくとも入力信号を音声信号に変換して表示制御部に対して出力するものであってもよい。
【００２３】
この表示システムでは、音声信号に係わる接続部やインターフェースの機能で入力装置からの信号伝達が行えるため、音声信号以外の接続部やインターフェースの機能を他の資源に割り振ることができ、使い勝手がよくなる。
【発明の効果】
【００２４】
本発明によれば、指の小さな動作で確実に入力信号を生成することができるので、入力操作を指の自然な動作に近づけて、入力装置における入力操作を行ない易くすることができる。
【図面の簡単な説明】
【００２５】
【図１】本発明の一実施形態に係る表示システムの一例を示す斜視図。
【図２】入力装置の操作の一例を示す平面図。
【図３】入力装置の筐体の外観を示す正面図。
【図４】タブレット型コンピュータに筐体が取り付けられた状態を示す正面図。
【図５】タブレット型コンピュータに筐体が取り付けられた状態を示す斜視図。
【図６】フリップセンサの構成を示す組み立て図。
【図７】入力装置及びタブレット型コンピュータの構成の一例を示すブロック図。
【図８】（ａ）指が遠ざかる動作によるフリップセンサの静電容量の変化を示すグラフ。（ｂ）指で弾く動作によるフリップセンサの静電容量の変化を示すグラフ。
【図９】（ａ）周波数カウンタのイネーブル信号の波形の一例を示すタイミングチャート。（ｂ）ＲＣ発振回路のパルス出力の一例を示すタイミングチャート。（ｃ）周波数カウンタの動作を示すタイミングチャート。
【図１０】カウント値の比と閾値を用いて、意図しない入力をキャンセルする仕組みを説明するためのグラフ。
【図１１】（ａ）１枚ずつフリップセンサが弾かれている場合のカウント値の差を示すグラフ。（ｂ）連続してフリップセンサが弾かれた場合のカウント値の差を示すグラフ。
【図１２】タブレット型コンピュータにおける入力の認識動作を示すフローチャート。
【図１３】入力装置及びタブレット型コンピュータの構成の他の例を示すブロック図。
【図１４】連続的に弾かれたフリップセンサの静電容量の変化の一例を示すグラフ。
【図１５】入力装置の操作の他の例を示す部分斜視図。
【図１６】指を挿入したフリップセンサの静電容量の変化の一例を示すグラフ。
【図１７】入力装置の操作の他の例を示す部分斜視図。
【図１８】一実施形態に係る表示システムの他の例を説明するための部分斜視図。
【図１９】カウント値の差と閾値を用いて、意図しない入力をキャンセルする仕組みを説明するためのグラフ。
【発明を実施するための形態】
【００２６】
（１）表示システムの概要
以下、本発明の一実施形態に係る表示システムについて図１乃至図１２を用いて説明する。図１に示す表示システム１０は、電子書籍を表示することができる電子書籍表示機能を有するものであり、タブレット型コンピュータ２０と静電容量式の入力装置３０とを備えて構成されている。入力装置３０は、タブレット型コンピュータ２０に対して装脱できるオプション装備である。
【００２７】
元々、タブレット型コンピュータ２０は、入力と表示を行なうためにタッチスクリーン２５を標準装備として備えている。タブレット型コンピュータ２０は、図１及び図４に示すオン・オフ・スリープ・スリープ解除ボタン２３ａや音量調整ボタン２３ｂやホームボタン２３ｃなどの操作ボタン以外に、このタッチスクリーン２５を使って入力を行うことができる。
【００２８】
従って、タブレット型コンピュータ２０は、入力装置３０を装着しなくても、指でタッチスクリーン２５のタッチパッドを操作してタッチスクリーン２５に表示された画面を切換えることができる。例えば、電子書籍がタッチスクリーン２５の液晶画面（ＬＣＤ）に表示された状態で、電子書籍の頁をめくる際にタッチパッドの操作によって、頁めくりを指示するためのボタンをタッチスクリーン２５に表示させるモードを選択することができる。例えば、左右２つの頁めくりボタンがＬＣＤに表示されるプログラムをタッチパッドの操作で呼び出し、ＬＣＤに表示された右の頁めくりボタン上のタッチパッドを押すと電子書籍の頁が右にめくれるように構成することができる。逆に、左の頁めくりボタン上のタッチパッドが押された場合には、電子書籍の頁が左にめくれる。しかし、このようなタッチスクリーン２５の操作をしながら電子書籍を読む場合、操作画面をタッチスクリーン２５に表させることによる煩わしさや紙の書籍との違和感が助長される。
【００２９】
入力装置３０は、このようなタッチスクリーン２５による頁めくり操作を代替することが可能であり、電子書籍の頁めくりの操作性を向上させるための装備として使用することができる。入力装置３０には、タブレット型コンピュータ２０の対向する２つの側面、即ち右側面２０ａと左側面２０ｂとに、２つのフリップセンサ３１，３２が設けられている。図２に示すように、右手の親指１００をタッチスクリーン２５に垂直な向きに動かして親指１００で右のフリップセンサ３１を弾く動作をすると、図２のタッチスクリーン２５に表示されている書籍１０１の頁が右から左に向かってめくれているような映像が表示される。
【００３０】
逆に、図には示されていないが、左手の親指を使ってフリップセンサ３２を操作すると、図２に表示されている書籍１０１が左から右に向かってめくれているような映像が表示される。なお、フリップセンサ３１，３２の構造及びフリップセンサ３１，３２を用いた頁めくりの動作については、後程詳しく説明する。
【００３１】
（２）入力装置の構成
（２−１）入力装置の外観
入力装置３０は、上述のフリップセンサ３１，３２と、フリップセンサ３１，３２及びその出力の処理回路を収容するための筐体３３と、筐体３３をタブレット型コンピュータ２０に取り付けるための取付けカバー３４とを備えて構成されている。
【００３２】
図３に示すように、筐体３３は、左右両端部の上部に把持部３３ａ，３３ｂを備えている。図３に示すような正面形状を筐体３３が有しているため、この把持部３３ａ，３３ｂの間にタブレット型コンピュータ２０を差し入れてスライドさせることにより、図４及び図５に示すように、筐体３３にタブレット型コンピュータ２０を嵌め込むことができる。
【００３３】
筐体３３がタブレット型コンピュータ２０に嵌め込まれた後、図５に示すように、筐体３３から引き出されたプラグ４６がタブレット型コンピュータ２０のイヤホンジャック２３ｄに差し込まれる。プラグ４６がイヤホンジャック２３ｄに差し込まれることにより、タブレット型コンピュータ２０と入力装置３０とが回路的に接続される。筐体３３の中には、後述する検出部が収納されている。筐体３３内の検出部によって、フリップセンサ３１，３２の操作が検出され、その検出結果に基づいた入力信号がイヤホンジャック２３ｄからタブレット型コンピュータ２０に入力される。
【００３４】
図４及び図５に示す状態は、筐体３３がタブレット型コンピュータ２０に嵌められているが、取付けカバー３４が取り付けられていない状態である。取付けカバー３４は、シリコンゴム製の柔らかい材料で構成されていて変形させることができるため、筐体３３とタブレット型コンピュータ２０とに密着するように装着することができる。取付けカバー３４が取り付けられて図１に示す状態になると、筐体３３がタブレット型コンピュータ２０に対してスライドして筐体３３がずれたり、筐体３３が抜けたりすることがなくなる。
【００３５】
（２−２）フリップセンサの構造
次に、フリップセンサ３１の構造の詳細について図６を用いて説明する。フリップセンサ３１とフリップセンサ３２とが左右対称の構造をしていることから、フリップセンサ３２の構造の説明は省略する。フリップセンサ３１は、ポリエチレンテレフタレート（ＰＥＴ）フィルム３１ａ，３１ｂ，３１ｃ，３１ｄ，３１ｅ（以下、３１ａ−３１ｅと表記する）を重ねて構成されている。ＰＥＴフィルム３１ａ−３１ｅの裏面には、銀ペーストが塗布されて導電膜３１ａａ，３１ｂａ，３１ｃａ，３１ｄａ，３１ｅａ（以下、３１ａａ−３１ｅａと表記する）が形成されている。これらＰＥＴフィルム３１ａ−３１ｅの重ねられる方向は、導電膜３１ａａ−３１ｅａの形成されている裏面（ｘｙ平面）に対して直交する向き（ｚ方向）である。
【００３６】
ＰＥＴフィルム３１ａ−３１ｅのそれぞれの間には、プラスチック板３１２，３１３，３１４，３１５（以下、３１２−３１５と表記する）がスペーサとして配置されている。これらプラスチック板３１２−３１５によって、ＰＥＴフィルム３１ａ−３１ｅはｚ方向に所定距離だけ離れて配置される。このような構成により、ＰＥＴフィルム３１ａ−３１ｅをそれぞれ別々に指で弾くことができる。
【００３７】
スペーサとして機能するもの以外に、全体をまとめて綴じるためのプラスチック製台座３１１と、プラスチック製台座３１１に全体を留めるためのプラスチック製押え板３１６とがある。プラスチック板３１１には、直方体形状をした凸部３１１ａが形成されている。この凸部３１１ａに、プラスチック板３１２−３１５及びＰＥＴフィルム３１ａ−３１ｅの開口部３１２ａ，３１３ａ，３１４ａ，３１５ａ，３１ａｄ，３１ｂｄ，３１ｃｄ，３１ｄｄ，３１ｅｄを嵌め込んだ状態で、押え板３１６の開口部３１６ａを凸部３１１ａに抜けないように嵌合させて、全体を圧迫して一体化する。
【００３８】
筐体３３には、図３に示すように嵌合穴３３ｃや嵌合凹部３３ｄが設けられている。これら嵌合穴３３ｃや嵌合凹部３３ｄには、プラスチック板３１３，３１５の両端に設けられている突出部３１３ｂ，３１５ｂや台座３１１の突出部３１１ｂが嵌め込まれる。これらの嵌合によって、フリップセンサ３１が筐体３３に固定される。また、筐体３３にタブレット型コンピュータ２０が取り付けられることで、タブレット型コンピュータ２０の筐体２１の背面によって台座３１１が押えられ、筐体３３へのフリップセンサ３１の固定が強固なものとなる。
【００３９】
このようにフリップセンサ３１のＰＥＴフィルム３１ａ−３１ｅの一方端部近傍の領域３１ａｃ，３１ｂｃ，３１ｃｃ，３１ｄｃ，３１ｅｃ（以下、３１ａｃ−３１ｅｃと表記する）がしっかりと固定されることにより、ＰＥＴフィルム３１ａ−３１ｅは、自身の比較的高い弾性によって片持ち板バネのような挙動を示す。そのため、ＰＥＴフィルム３１ａ−３１ｅの他方端部近傍の領域３１ａｂ，３１ｂｂ，３１ｃｂ，３１ｄｂ，３１ｅｂ（以下、３１ａｂ−３１ｅｂと表記する）の上面側を指で弾くことによって、これら他方端部近傍の領域３１ａｂ−３１ｅｂが跳ね上がって素早く指から離れるような動作を行わせることができる。このような指で弾く動作が行われると、指とその弾かれた導電膜３１ａａ−３１ｅａとの位置関係が一瞬のうちに変化する。
【００４０】
フリップセンサ３１の５枚のＰＥＴフィルム３１ａ−３１ｅは、その大きさが互いに異なり、下方に行くほど他方端部近傍の領域３１ａｂ−３１ｅｂが、固定されている一方端部近傍の領域３１ａｃ−３１ｅｃから遠くに位置する形状に成形されている。そのため、フリップセンサ３１の５枚のＰＥＴフィルム３１ａ−３１ｅを、順々に指で弾き易くなっている。このように順々に弾く場合には、弾かれたものと指との間の静電容量が急激に減少する。
【００４１】
（２−３）入力装置の回路構成の概要
入力装置２０の回路構成の概要について、図７を用いて説明する。入力装置２０のフリップセンサ３１，３２は、人の指の接近によって静電容量を変化させる。入力装置２０は、フリップセンサ３１，３２の静電容量の変化を入力信号に変換するための検出部４０を備えている。
【００４２】
フリップセンサ３１のＰＥＴフィルム３１ａ−３１ｅの裏面側にそれぞれ形成されている導電膜３１ａａ−３１ｅａは、ＲＣ発振回路４１に接続されている。ＲＣ発振回路４１は、例えばフリップセンサ３１の５つの導電膜３１ａａ−３１ｅａとそれぞれ接続された5つの抵抗41ａと５つのシュミットトリガ回路４１ｂとを備えており、フリップセンサ３１の各導電膜３１ａａ−３１ｅａの静電容量に反比例して各シュミットトリガ回路４１ｂの出力周波数が変化するよう構成されている。同様に、ＲＣ発振回路４２は、例えばフリップセンサ３２の５つの導電膜とそれぞれ接続された５つの抵抗４２ａと５つのシュミットトリガ回路４２ｂとを備えており、フリップセンサ３２の各導電膜の静電容量に反比例して各シュミットトリガ回路４２ｂの出力周波数が変化するよう構成されている。
【００４３】
これらＲＣ発振回路４１，４２の出力が周波数カウンタ４３に入力されており、周波数カウンタ４３は、ＲＣ発振回路４１，４２の各シュミットトリガ回路４１ｂ，４２ｂの出力周波数（パルス数）を別々にカウントするよう構成されている。周波数カウンタ４３でのカウント結果は、マイクロプロセッサユニット（ＭＰＵ）４４に対して出力される。
【００４４】
ＭＰＵ４４では、ＲＣ発振回路４１，４２の周波数の変化から入力の有無を判別して、左右のフリップセンサ３１，３２のいずれからの入力か、通常の一枚ずつめくる指示があったか複数枚連続してめくる指示があったかなどの情報を含むデジタル信号をモデム４５に対して出力する。そして、モデム４５は、ＭＰＵ４４から受けたデジタル信号に基づいてデジタル変調した音声信号を、プラグ４６からタブレット型コンピュータ２０のイヤホンジャック２３ｄに出力する。
【００４５】
（２−４）入力装置における入力の検出
入力装置３０における入力の検出の一例について、図８乃至図１１を用いて説明する。まず、１枚のＰＥＴフィルムの導電膜について、指を自然に離した場合と指で弾いた場合との静電容量の変化の仕方の違いを説明する。指を自然に導電膜から遠ざける場合には、徐々に遠のく速度が上昇し、十分に遠ざかると指の動きが停止する。
【００４６】
これを図８（ａ）に即して説明すると、まず、指が動き出すまでは静電容量が変化しないから、曲線左側の水平な部分に対応する静電容量一定の期間が続く。指が動き始めると、最初は指が遠ざかる速度が緩いため、静電容量の低下の仕方も緩やかである。このような指の動きに対応するのは、曲線が下降し始める辺りである。さらに、指の速度が速くなって最大に達すると、静電容量を示す曲線の傾きも最大になる。その後、指の動きも止まるために静電容量を示す曲線の傾きも再び水平になる。
【００４７】
一方、指でＰＥＴフィルムを弾く場合には、図８（ｂ）に示すような曲線を描く。図８（ａ）の曲線と図８（ｂ）の曲線の違いは、主に、曲線が下降している部分にある。指でＰＥＴフィルムを弾く場合には、曲線が下降するときの傾きが大きくなる。つまり、図８（ａ）の時間ｔ３の平均の静電容量Ｃ３と時間ｔ４の平均の静電容量Ｃ４との比（Ｃ４／Ｃ３）に比べて、図８（ｂ）の時間ｔ１の平均の静電容量Ｃ１と時間ｔ２の平均の静電容量Ｃ２との比（Ｃ２／Ｃ１）が大きくなる。ここで、時間ｔ１〜ｔ４は同じ長さであり、後述する周波数カウンタ４３が周波数をカウントする時間の長さに対応している。また、時間ｔ１の終わりから時間ｔ２の始まりまでの間隔は、時間ｔ３の終わりから時間ｔ４の始まりまでの間隔と同じである。また、下降し始めるときの速度変化が急であるため、図８（ｂ）に示すように、下降を始めるときの変曲点部分の変化の割合が大きくなる。
【００４８】
以上のような違いに基づいて、指でＰＥＴフィルムを弾いたときに頁めくりを指示する入力があり、単にＰＥＴフィルムから指が離れたときにはそのような入力がなかったと判断できる。ここでは、曲線の傾きの違いで、ＰＥＴフィルムを弾いたときに頁めくり指示が入力されたと判断している。なお、図８（ａ）及び図８（ｂ）に示すいずれの静電容量の変化も、その静電容量の値は、環境や指の近づけ方や個人差などに毎回変化するので、静電容量の絶対値では判断するのが困難である。
【００４９】
次に、図９及び図１０を用いて、ＭＰＵ４４が行なうこのような判断について説明する。図９（ａ）は、周波数カウンタ４３が行なうカウントのタイミングを決めるイネーブル信号のタイミングチャートである。周波数カウンタ４３は、図９（ａ）に示すイネーブル信号がＨレベルのときに図９（ｂ）に示すパルス出力のカウントを行ない、イネーブル信号がＬレベルのときには、カウントしたパルス数を記憶している。即ち、図９（ａ）に示すイネーブル信号がＨレベルである期間と、図９（ｃ）に示すカウント動作を行なう期間Ｃｎｔとが一致する。同様に、図９（ａ）に示すイネーブル信号のＬレベルの期間には、図９（ｃ）に示すようにパルス数のカウント値であるデータＤａ１，Ｄａ２の記憶が保持される。なお、図９（ｂ）に示すパルス出力は、１組の抵抗とシュミットトリガ回路の出力である。
【００５０】
図９（ａ）に示すイネーブル信号がＨレベルの時間の長さは、図８に示す時間ｔ１〜ｔ４のそれぞれの長さに等しい。静電容量の変化が、図８（ａ）に示す静電容量Ｃ３，Ｃ４の比のように小さいときには、ＭＰＵ４４では頁めくり指示の入力があったと判断せずに、図８（ｂ）に示すように静電容量Ｃ１，Ｃ２の比のように大きい場合に頁めくり指示の入力があったと判断する。図１０の曲線Ｃｏ１は、（静電容量Ｃ１のときのカウント値Ｄａ１）÷（静電容量Ｃ２のときのカウント値Ｄａ２）で与えられ、曲線Ｃｏ２は、（静電容量Ｃ３のときのカウント値Ｄａ３）÷（静電容量Ｃ４のときのカウント値Ｄａ４）で与えられる。つまり、図１０に実線で示す曲線Ｃｏ１（弾く場合）のように閾値を越える変化があった場合は、頁めくり指示の入力があったと判断し、一点鎖線で示す曲線Ｃｏ２（自然に遠ざかる場合）のように閾値を越えない変化の場合は、頁めくり指示の入力があったとは判断しない。
【００５１】
（２−５）入力装置における連続入力の検出
頁数の多い電子書籍の場合、１頁ずつめくっていたのでは、頁めくりに時間ばかりを取られて耐え難い場合がある。そこで、この実施形態では、フリップセンサ３１の５枚のＰＥＴフィルム３１ａ−３１ｅ、又はフリップセンサ３２の５枚のＰＥＴフィルム３２ａ，３２ｂ，３２ｃ，３２ｄ，３２ｅ（以下、３２ａ−３２ｅと表記する）を全て連続して弾いたときには、弾いたフィルム枚数よりも多い枚数の頁をめくるように設定している。
【００５２】
図１１（ａ）には、書籍を読みながら１枚ずつフリップセンサ３１が弾かれている場合の曲線Ｃｏ３が示されている。曲線Ｃｏ３では、カウント値の差の大きな変化の現れる間隔ｔ２０が比較的長く、その長さが大きくばらつく。一方、図１１（ｂ）の曲線Ｃｏ４のように、フリップセンサ３１を連続して弾くと、カウント値の差の大きな変化の現れる間隔ｔ２１が比較的短く、その長さが同じ程度になる。例えば、間隔ｔ２１の４倍に誤差を加えた期間を連続めくり判定期間ｔ２２として設定し、その判定期間ｔ２２内に５回の変化が検出できれば連続頁めくりの指示があったとＭＰＵ４４が判断する。
【００５３】
このように、連続頁めくりの指示があったと判断された場合には、ＭＰＵ４４からモデム４５に対して、１枚ずつの頁めくりの指示とは異なる他の入力信号が入力される。モデム４５から受けたデジタルの他の入力信号に基づいてデジタル変調した音声信号を、プラグ４６からタブレット型コンピュータ２０のイヤホンジャック２３ｄに出力する。
【００５４】
（２−６）タブレット型コンピュータの構成と動作の概要
図７には、タブレット型コンピュータ２０の構成の概要がブロック図で描かれている。タブレット型コンピュータ２０は、上述のように、ＬＣＤ２５aとタッチパッド２５ｂとを含むタッチスクリーン２５を備えている。
【００５５】
タッチスクリーン２５のＬＣＤ２５ａに表示される画像は、画像処理部２７から出力される。また、画像処理部２７には表示制御部２７ａが設けられており、タッチスクリーン２５は、表示制御部２７ａから出力される表示制御信号によって表示画制御される。表示制御部２７ａは、ＣＰＵ（Ｃｅｎｔｒａｌ  Ｐｒｏｃｅｓｓｉｎｇ  Ｕｎｉｔ）やＤＳＰ（Ｄｉｇｉｔａｌ Ｓｉｇｎａｌ Ｐｒｏｃｅｓｓｏｒ）などの演算装置で構成される。特に、表示制御部２７ａが入力装置３０からの入力信号に基づいて行なう制御について、後程フローチャートを用いて説明する。画像処理部２７は、メモリ２７ｂも備えており、画像表示に必要な情報以外に、表示制御部２７ａで用いられる情報も記憶する。
【００５６】
タブレット型コンピュータ２０は、タッチスクリーン２５のタッチパッド２５ｂや操作ボタン２３ａ，２３ｂ，２３ｃやイヤホンジャック２３ｄなどから入力される入力信号を受け取るためのインターフェース２６を備えている。このインターフェース２６は、デジタル変調された音声信号をデジタル信号に復調するモデムの機能を備えている。そのため、タブレット型コンピュータ２０は、ＭＰＵ４４で生成される入力に関する情報を、モデム４５及びインターフェース２６を介して表示制御部２７ａで得ることができる。
【００５７】
次に、図１２を用いて、入力装置２０を使って入力を行う場合について、タブレット型コンピュータ２０の動作の概要を説明する。タブレット型コンピュータ２０では、イヤホンジャック２３ｄに接続されたプラグ４６から、モデム４５の音声信号を受け取る（ステップＳ１０）。イヤホンジャック２３ｄで受け取った音声信号は、インターフェース２６でデジタル信号に変換されて画像処理部２７に出力される（ステップＳ１１）。
【００５８】
画像処理部２７は、入力信号を入力タイミングとともにメモリ２７ｂに記憶する（ステップＳ１２）。入力タイミングを記憶するのは、連続して入力される入力信号の入力間隔も考慮して入力の指示内容を判断するためである。
【００５９】
画像処理部２７は、メモリ２７ｂから過去の入力信号に係わるデータの読み出しを行なう。メモリ２７ｂから読み出されたデータは、表示制御部２７ａに渡される（ステップＳ１３）。
【００６０】
表示制御部２７ａでは、上述の入力信号とそれに係わる情報に基づいて頁めくりの指示の内容を判断する。まず、新たに入力されてきた入力信号が、左右いずれの方向への頁めくりを指示しているかを表示制御部２７ａは判断する（ステップＳ１４）。入力装置３０のＭＰＵ４４はフリップセンサ３１，３２のいずれから入力があったかという情報をデジタル信号に含めているので、表示制御部２７ａは、入力信号の左右を示す情報に基づいてめくる方向を判断する。即ち、フリップセンサ３１からの入力であれば右にめくり、フリップセンサ３２からの入力であれば左にめくると、表示制御部２７ａが判断する。以下の説明は、書籍を右にめくると頁数が増える場合を例に取っている。
【００６１】
次に、連続めくりか否かを表示制御部２７ａが判断する（ステップＳ１５，Ｓ２１）。図１１（ｂ）に示したように、カウント値の差が閾値を所定時間内に所定回数、例えば１秒以内に５回超えた場合には、表示制御部２７ａは、連続めくりと判断して次の判断（ステップＳ１６，Ｓ２２）に進み、それ以外の場合には連続めくりではないと判断して次の判断に進む（ステップＳ１８，Ｓ２４）。
【００６２】
連続めくりを行う場合には、残り頁数が連続してめくろうとする頁数以上であるか否かを判断する（ステップＳ１６，Ｓ２２）。ここでは、連続めくりの指示が確認される度に、１０枚ずつ連続でめくるよう設定されているものとする。そのように設定されている場合には、残りの頁数が１０枚に満たなければ、１０枚めくる制御を表示制御部２７ａが行うとエラーになるか、あるいは白紙になるなどの不具合が生じる。そのため、表示制御部２７ａは、メモリ２７ｂに記憶されている書籍の頁数と現在表示されている頁とを比較して、その差が１０頁以上であるか否かを判断する。差が１０頁以上あれば、左めくりの場合には１０頁戻し（ステップＳ１７）、右めくりの場合には１０頁進める（ステップＳ２３）。差が１０頁に満たないと判断されたときは、左めくりの場合には最初の頁にもどし（ステップＳ１９）、右めくりの場合には最後の頁まで進める（ステップＳ２５）。
【００６３】
１頁ずつめくる指示の場合、表示制御部２７ａは、現在表示されている頁が最初の頁か又は最後の頁か否かを判断する（ステップＳ１８，Ｓ２４）。左めくりの場合に最初の頁でなければ１頁戻し（ステップＳ２０）、右めくりの場合に最後の頁でなければ１頁進める（ステップＳ２６）。左めくりの場合に最初の頁と判断されたときは、最初の頁であることを表示して最初の頁を再度表示し（ステップＳ１９）、右めくりの場合に最後の頁と判断されたときは、最後の頁であることを表示して最後の頁を再度表示する（ステップＳ２５）。
【００６４】
＜変形例１−１＞
上記実施形態の入力装置３０では、フリップセンサ３１，３２の各導電膜に対して、それぞれ１つずつのシュミットトリガ回路４１ｂ，４２ｂを用いて個別に静電容量を検出する場合について説明した。しかし、図１３のＲＣ発振回路４１Ａ，４２Ａのように、フリップセンサ３１，３２に１つずつの抵抗４１ａ，４２ａとシュミットトリガ回路４１ｂ，４２ｂとを用いて構成するようにしてもよい。この場合に、周波数カウンタ４３Ａは、２組の抵抗４１ａ，４２ａとシュミットトリガ回路４１ｂ，４２ｂの出力パルスをカウントする。この場合も、各フリップセンサ３１，３２を構成するＰＥＴフィルム数やＲＣ発振回路数は、任意の数に設定することができる。
【００６５】
図１４は、例えば５枚のＰＥＴフィルム３１ａ−３１ｅが全て連続的に弾かれたときの静電容量の変化の一例を示すグラフである。まず、一番上のＰＥＴフィルム３２ａに指が係った状態（ｔ１０）では、静電容量の値Ｃ１０で一定になっている期間が続く。最も上にあるＰＥＴフィルム３２ａを指で弾いたとき（ｔ１１）には、ＲＣ発振回路４１に接続されている静電容量が、急激にＰＥＴフィルム４枚分の値Ｃ１１まで減少する。一枚ずつＰＥＴフィルムが弾かれるたびに、静電容量が、残り３枚になったとき（ｔ１２）の値Ｃ１２、残り２枚になったとき（ｔ１３）の値Ｃ１３、残り１枚になったとき（ｔ１４）の値Ｃ１４、そして残りがなくなったとき（ｔ１５）の値Ｃ１５へと順に変化する。
【００６６】
このような場合も、静電容量は、環境や個人差などによって変化するが、静電容量の変化の割合（傾き）は比較的安定している。
【００６７】
＜変形例１−２＞
上記実施形態では、ＲＣ発振器を用いて静電容量の変化を検出し、所定の傾きよりも急な変化を検出して入力の有無を判断しているが、静電容量の変化の検出はＲＣ発振器を用いる場合に限られない。マルチバイブレータの出力パルスの幅など他の検出方法で検出してもよく、静電容量の変化の検出方法は上記実施形態の例に限られるものではない。
【００６８】
＜変形例１−３＞
上記実施形態では、フリップセンサ３１，３２を指で弾いて頁めくりを指示する場合について説明したが、図１５に示すようなフリップセンサ３１，３２に対して指を差し込む操作で、別の指示をすることもできる。例えば、フリップセンサ３１，３２に指を差し込むと、表示されている頁に栞を付する指示とすることができる。
【００６９】
図１６は、３枚目と４枚目の間に指１５０を差し込んで、続けて指１５０を引き抜いたときのフリップセンサ３１の各ＰＥＴフィルムの静電容量の検出結果を模式的に示した図である。１枚目と５枚目のＰＥＴフィルムの静電容量の検出結果は、曲線Ｃｏ５のようになり、ほぼ変化がない。２枚目と４枚目のＰＥＴフィルムの静電容量の検出結果は、曲線Ｃｏ６のようになり、僅かな変化が認められる。３枚目のＰＥＴフィルムの静電容量の検出結果は、曲線Ｃｏ７のようになり、大きな変化が認められる。以上のような変化は、指１５０が３枚目の導電膜に接触することにより生じたものである。
【００７０】
このような検出結果が得られるため、１枚目から４枚目までのＰＥＴフィルムの静電容量の検出結果のみが所定時間内において上昇と下降を起した場合に栞を付する入力としてＭＰＵ４５が認識するように設定しておくことができる。つまり、ＰＥＴフィルムの間に指が差し込まれたことによる静電容量の変化を、検出部４０，４０Ａにおいて指で弾くときの静電容量の変化と区別して検出して、指で弾かれた場合とは異なる入力信号を生成する。それにより、入力のバリエーションを豊富にすることができる。
【００７１】
＜変形例１−４＞
上記実施形態では、フリップセンサ３１，３２を指で弾いて頁めくりを指示する場合について説明したが、図１７に示すようなフリップセンサ３１，３２を摘む操作で、別の指示をすることもできる。例えば、フリップセンサ３１，３２を摘むと、表示されている頁に栞を付する指示とすることができる。この場合には、ＰＥＴフィルムを摘むことによる静電容量の変化を、検出部４０，４０Ａにおいて指で弾くときの静電容量の変化と区別して検出して入力信号を生成することになる。それにより、入力のバリエーションを豊富にすることができる。
【００７２】
＜変形例１−５＞
上記実施形態では、フリップセンサ３１，３２を別々に操作する場合について説明したが、同時に操作することによって、別の指示をすることもできる。例えば、所定時間内、具体的には例えば０．３秒以内にフリップセンサ３１，３２の両方で入力があった場合には、書籍の中央の頁を開くような異なる指示とすることができる。
【００７３】
例えば、フリップセンサ３１，３２のように、タブレット型コンピュータ２０の互いに対向する辺（右側面２０ａと左側面２０ｂ）に沿って設けられる一対のセンサの導電膜が、所定時間内に同時に静電容量の変化を示したときに、指で弾かれた場合とは異なる入力信号を生成するようにすればよい。それにより、入力のバリエーションを豊富にすることができる。
【００７４】
＜変形例１−６＞
上記実施形態では、弾性のあるＰＥＴフィルムを用いてフリップセンサ３１，３２を構成したが、指から勢いよく離すための弾性を与える部材と、導電膜を支持する部材とを分けてもよい。例えば、フィルムよりも厚く、剛性の高いプラスチック板とバネとによってフリップを構成することもできる。この場合には、バネによって指から離れるための付勢をプラスチック板に対して行ない、導電膜はプラスチック板に形成される。付勢は、プラスチック板を指でバネを変形させる向きに押えることによって行なわれる。
【００７５】
＜変形例１−７＞
上記実施形態では、ＰＥＴフィルム３１ａ−３１ｅ，３２ａ−３２ｅが、変形した後に弾性によって勢いよく指から離れる場合について説明したが、弾性変形を利用しない場合であってもよく、指を引っ掛けるところは必ずしも導電膜が形成されている部材には限られない。
【００７６】
図１８に示す導電膜を支持しているプラスチック板５１ａ，５１ｂ，５１ｃ，５１ｄ（以下、５１ａ−５１ｄと表記する）は、タブレット型コンピュータ２０Ａの側面部２１Ａの内部に配置され、側面部２１Ａに支持されるように形成されている。ただし、プラスチック板５１ａ−５１ｄの導電膜の縁部は、側面部２１Ａで覆われているが側面部２１Ａの側面近傍に達している。そして、側面部２１Ａの一部が窪んで、導電膜に対する交差方向に動く指１００が引っ掛かるように凹部６１ａ，６１ｂ，６１ｃ，６１ｄが形成されている。プラスチック板５１ａ−５１ｄが静電容量センサ５１を構成し、凹部６１ａ，６１ｂ，６１ｃ，６１ｄが引っ掛り部６１を構成する。なお、入力装置３０Ｂの検出部は、入力装置３０の検出部４０と同様に構成されており、タブレット型コンピュータ２０Ａの回路構成は、タブレット型コンピュータ２０と同じに構成されている。
【００７７】
この場合でも、指１００が凹部６１ａ，６１ｂ，６１ｃ，６１ｄに引っ掛かって止まっているときと、凹部６１ａ，６１ｂ，６１ｃ，６１ｄから離れて勢いよく動くときとで、状態が急激に変化するために静電容量の変化が大きくなるのは、上記実施形態と同様である。
【００７８】
＜変形例１−８＞
上記実施形態では、モデム４５を介して接続しているが、接続の仕方はモデム４５を介する場合に限定されない。例えばユニバーサル・シリアル・バスやＢｌｕｅｔｏｏｔｈ（登録商標）などの他の規格を用いて接続してもよい。
【００７９】
また、上記実施形態では、入力装置３０をタブレット型コンピュータ２０にオプション装備として後付けする場合について説明したが、標準装備として表示システムに一体的に組み込まれていてもよい。
【００８０】
＜変形例１−９＞
上記実施形態では、図８に示した静電容量の変化の割合（傾き）を静電容量の変化を比（Ｃ１／Ｃ２やＣ３／Ｃ４）で比較する場合について説明したが、静電容量の変化の割合から入力の有無を判定する方法は、このような判定方法には限らず、他の判定方法を採用することもできる。
【００８１】
例えば、連続して測定される静電容量の差が静電容量Ｃ３，Ｃ４の差（Ｃ３−Ｃ４）のように小さいときには、ＭＰＵ４４において頁めくり指示の入力があったとは判断せずに、静電容量Ｃ１，Ｃ２の差（Ｃ１−Ｃ２）のように大きい場合に頁めくり指示の入力があったと判断することもできる。図１９の曲線Ｃｏ５は、（静電容量Ｃ１のときのカウント値Ｄａ１）−（静電容量Ｃ２のときのカウント値Ｄａ２）で与えられ、（静電容量Ｃ３のときのカウント値Ｄａ３）−（静電容量Ｃ４のときのカウント値Ｄａ４）で与えられる。図１９に実線で示す曲線Ｃｏ５（弾く場合）のように閾値を越える変化があった場合は、頁めくり指示の入力があったと判断し、一点鎖線で示す曲線Ｃｏ６（自然に遠ざかる場合）のように閾値を越えない変化の場合は、頁めくり指示の入力があったとは判断しない。このような場合も、指を接地された電極と等価（シュミットトリガ回路の基準電位にあるもの）とみなしていることから環境や個人差などによって静電容量が変化することがあるにしても、指で弾く場合の静電容量の変化の割合（図８（ｂ）のグラフの傾き）は比較的安定しているので、静電容量の差で検出する場合と同様に、安定して入力の有無の検出が行なえる。
【００８２】
また、静電容量Ｃ１乃至Ｃ４も平均値ではなく、中央値やカウントがイネーブルの間のカウント値の総和を用いて比較するなど、他の統計的な数値や実測値を用いることもできる。さらに、連続して頁をめくる指示があったか否かの判断方法も、図11を用いて説明した方法を用い、静電容量の比に代えて静電容量の差を比較することで上記実施形態と同様に行なえる。
【００８３】
＜特徴＞
（１）フリップセンサ３１，３２は、ＰＥＴフィルム３１ａ−３１ｅ，３２ａ−３２ｅ（導電膜支持基体）と、台座３１１とプラスチック板３１２−３１５と押え板３１６（支持部材）とを備えている。フリップセンサ３１，３２が取り付けられている入力装置３０には、フリップセンサ３１，３２の静電容量の変化を検出する検出部４０，４０Ａが設けられている。また、静電容量センサ５１の場合には、プラスチック板５１ａ−５１ｄ（導電膜支持基体）と側面部２１Ａ（支持部材）とを備えて構成されている。静電容量センサ５１の場合も、検出部４０，４０Ａと同様の検出部によって静電容量の変化が検出される。
【００８４】
そして、フリップセンサ３１，３２や静電容量センサ５１を構成するフィルム３１ａ−３１ｅ，３２ａ−３２ｅやプラスチック板５１ａ−５１ｄの領域３１ａｃ−３１ｅｃなどがコンピュータ側のみが固定されているので、フィルム３１ａ−３１ｅ，３２ａ−３２ｅやプラスチック板５１ａ−５１ｄの縁部近傍（領域３１ａｂ−３１ｅｂの外側など）には指１００が交差方向に動くときに障害となる部材が存在しない。そのため、指１００のフィルムに対する相対速度を大きくし易く、図８（ａ）及び図８（ｂ）を用いて説明したように、静電容量の変化を急峻にすることができる。それに対して、例えば、従来のように導電膜の中央部に対して指が遠ざかったり、離れたりすると、導電膜やその支持部材自身が障害物となって、指を素早く動かせない。また、一般的なタッチパネルのように、導電膜に対して平行に指を動かす場合には、導電膜と指とが重なる面積の変化によって静電容量が変化するため、導電膜を交差方向に横切るような急峻な変化を起し難い。
【００８５】
上述のような作用によって、実施形態の入力装置２０，２０Ａは、単にフリップセンサ３１，３２や静電容量センサ５１に自然に指が近づいたり遠のいたりする行為とフィルム近傍で交差方向に指を速く動かす行為とを区別して誤動作を防ぎながら、入力を行わせることができる。
【００８６】
ここで、指１００が導電膜３１ａａ−３１ｅａの近傍を交差方向に横切って動くというのは、導電膜３１ａａ−３１ｅａ（ＰＥＴフィルム３１ａ−３１ｅ）の延長面の一方面側から他方面側に延長面を超えて移動する場合だけでなく、延長面上に指１００がある状態から延長面の一方面側あるいは他方面側に移動する場合も含む概念である。
【００８７】
ところで、静電容量の変化の検出結果に基づいて検出部４０，４０Ａは、入力信号を生成して音声信号に変換し、タブレット型コンピュータ２０，２０Ａの表示制御部２７ａにその入力を認識させるために出力する。モデム４５で音声信号に変換して出力することで、タブレット型コンピュータ２０，２０Ａのイヤホンジャック２３ｄを用いて入力でき、ユニバーサル・シリアル・バスやＢｌｕｅｔｏｏｔｈなどの他の入出力コネクタを他用途のために自由に使える状態にしておくことができる。このような音声入力に応じてタブレット型コンピュータ２０，２０Ａは、画像処理部２７がＬＣＤ２５ｂに出力する表示信号を表示制御部２７ａの元で変化させて、ＬＣＤ２５ｂ（表示画面）の頁めくりを行なわせることができる。
【００８８】
（２）フリップセンサ３１では、ＰＥＴフィルム３１ａ−３１ｅ（導電膜支持基体）の他方端部近傍の領域３１ａｂ，３１ｂｂ，３１ｃｂ，３１ｄｂ（引っ掛かり部）に指１００を引っ掛けて、指１００を引っ掛ける動作と指を解放して素早く動かす動作を行うことができる。フリップセンサ３２の場合も同様である。また、静電容量センサ５１の場合には、側面部２１Ａ（支持部材）の凹部６１ａ，６１ｂ，６１ｃ，６１ｄ（引っ掛かり部）に指１００を引っ掛けて同様の動作を行わせることができる。指１００が引っ掛かっているときには、導電膜３１ａａ−３１ｅａの交差方向に力を加えた状態で引っ掛かっているため、その引っ掛かりが外れると指１００が交差方向に高速で移動する。
【００８９】
それにより、フリップセンサ３１，３２や静電容量センサ５１の入力動作時の静電容量の変化を急峻にすることができる。静電容量の変化が急峻になると（図８（ｂ）のような場合）、静電容量の変化が入力を示すものか否かの判別が容易になる。
【００９０】
（３）ＰＥＴフィルム３１ａ−３１ｅ（少なくとも１つの弾性フィルム）の他方端部近傍の領域３１ａｂ，３１ｂｂ，３１ｃｂ，３１ｄｂ（一部領域）及び、ＰＥＴフィルム３２ａ−３２ｅ（少なくとも１つの弾性フィルム）の他方端部近傍の領域に相当する領域（一部領域）は、指１００で弾けるように露出している。
【００９１】
そして、他方端部近傍の領域（一部領域）を露出させるために、フリップセンサ３１であれば、その反対側の一方端部近傍の領域３１ａｃ−３１ｅｃ（一部領域以外の領域）が、台座３１１とプラスチック板３１２−３１５と押え板３１６（支持部材）によってしっかりと固定される。
【００９２】
このように片持ち板バネのような構成にすることで、フリップセンサ３１の他方端部近傍の領域３１ａｃ−３１ｅｃを指で弾くと、フィルムの弾性によってこの領域が勢いよく指１００とは反対の方向に移動することができる。このような簡単な構造で、入力時における指１００と他方端部近傍の領域３１ａｃ−３１ｅｃとの相対速度を大きくして、静電容量の変化を急峻なものにすることができ、入力の検出の確度向上が容易になる。
【００９３】
（４）ＰＥＴフィルム３１ａ−３１ｅ（複数の弾性フィルム）に導電膜３１ａａ−３１ｅａを形成することやＰＥＴフィルム３２ａ−３２ｅ（複数の弾性フィルム）に導電膜を形成することにより、複数の薄膜状のもの（フィルム）をめくる動作が入力信号の生成に繋がる。このように、複数の薄膜状のものをめくる動作が、紙製の書籍の頁を実際にめくっている感覚を使用者に体感させる。この体感によって、使用者は、タブレット型コンピュータ２０，２０Ａの存在を忘れて、紙製の書籍を読むときと同じようにストレスなく読書を楽しむことができる。
【００９４】
（５）ＰＥＴフィルム３１ａ−３１ｅ，３２ａ−３２ｅ（複数の弾性フィルム）は、タッチスクリーン２５のほぼ上方（交差方向の一方側）から見て、他方端部近傍の領域３１ａｂ−３１ｅｂ及びこれらに相当する領域が見えるように、ＰＥＴフィルム３１ａ−３１ｅ，３２ａ−３２ｅの形状が、下方に行くに従って外に張り出すように大きく成形されている。このように、指１００で弾くときに、１枚ずつ弾くことが容易な構成となっている。
【符号の説明】
【００９５】
２０，２０Ａ  タブレット型コンピュータ
２３ｄ  イヤホンジャック
２５  タッチスクリーン
３０，３０Ａ，３０Ｂ  入力装置
３１，３２  フリップセンサ
４５  モデム
４６  プラグ
【先行技術文献】
【特許文献】
【００９６】
【特許文献１】特開２００２−１６９６５３号公報
【図１】
0005579033.tif 000002
【図２】
0005579033.tif 000003
【図３】
0005579033.tif 000004
【図４】
0005579033.tif 000005
【図５】
0005579033.tif 000006
【図６】
0005579033.tif 000007
【図７】
0005579033.tif 000008
【図８】
0005579033.tif 000009
【図９】
0005579033.tif 000010
【図１０】
0005579033.tif 000011
【図１１】
0005579033.tif 000012
【図１２】
0005579033.tif 000013
【図１３】
0005579033.tif 000014
【図１４】
0005579033.tif 000015
【図１５】
0005579033.tif 000016
【図１６】
0005579033.tif 000017
【図１７】
0005579033.tif 000018
【図１８】
0005579033.tif 000019
【図１９】
0005579033.tif 000020